(57)【要約】      （修正有）【課題】弁体の昇降状態の確実な保持、装置の誤作動防止、安価化、止水性を向上することができる排水栓装置を提供する。【解決手段】操作装置１０は本体部、操作部２０、ワイヤ受けから構成され、本体部によって保持された操作部２０の変位を伝達部を介して弁体に伝達することで、排水口の開閉を遠隔操作する。操作部２０は本体部に形成されたガイド部によって変位方向が誘導されており、操作部２０の被ガイド部がガイド部の第一の位置にある時には弁体の昇降操作が可能となる第一の状態となり、被ガイド部がガイド部１４の第二の位置にある時には排水口の開口又は閉口を維持する第二の状態を有している。【選択図】図５
2020033752.tif 000002
【特許請求の範囲】
【請求項１】
遠隔操作によって排水口を開閉する弁体と、
弁体の昇降操作を行う操作部を備える操作装置と、
操作部の変位を弁体へと伝達する伝達部から成る排水栓装置であって、
上記操作部は、
所定方向への変位によって弁体の昇降操作が可能となる第一の状態と、
排水口の開口又は閉口を維持する第二の状態を有することを特徴とする排水栓装置。
【請求項２】
上記操作部装置は、
操作部が第二の状態にある時、第一の状態における所定方向への変位が規制されることを特徴とする請求項１に記載の排水栓装置。
【請求項３】
上記操作装置は、
操作部が第二の状態にある時、解除操作を行うことによって第二の状態を解除し、
第一の状態に復帰することを特徴とする請求項１又は請求項２に記載の排水栓装置。
【請求項４】
上記操作部は、
排水口の開口又は閉口時に弾発材によって第二の状態へと移行するように付勢されていることを特徴とする請求項１乃至請求項３のいずれか１つに記載の排水栓装置。
【請求項５】
上記操作部は、
第一の状態において、操作装置が取り付けられた取付面に沿って変位するとともに、
上記変位と異なる方向に変位することによって第二の状態へと移行することを特徴とする請求項１乃至請求項４のいずれか１つに記載の排水栓装置。
【請求項６】
上記操作装置は、
操作部を保持する本体部を備え、
本体部は操作部の変位方向を誘導するガイド部を有することを特徴とする請求項１乃至請求項５のいずれか１つに記載の排水栓装置。
【発明の詳細な説明】
【技術分野】
【０００１】
本発明は、槽体の底面に形成された排水口を遠隔操作によって開閉する排水栓装置に関するものである。
【背景技術】
【０００２】
特許文献１に記載された排水栓装置は、排水口を開閉する弁体と、当該弁体の昇降操作を行う操作部を備える操作装置と、操作部の変位を弁体へと伝達する伝達部から構成されている。
上記操作装置は、押し引き操作によって変位する操作部を有し、当該操作部の変位はレリースワイヤを介して弁体へと伝達されることで、弁体の昇降を遠隔操作する構造となっている。
【先行技術文献】
【特許文献】
【０００３】
【特許文献１】特開平０７−２２４４５２号公報
【特許文献２】特開２００６−２３４１２３号公報
【発明の概要】
【発明が解決しようとする課題】
【０００４】
上記排水栓装置において、弁体の上昇又は下降状態は操作装置内に配置されたパッキンの摩擦によって保持されている。従って、上昇状態にある弁体に対し、水圧や踏み込み等による圧力が加わると、摩擦の保持力が圧力に負け、弁体が下降し、排水口が閉口してしまうという問題があった。
【０００５】
尚、他の排水栓装置としては、特許文献２のように、操作装置内にスラストロック機構と呼ばれるロック機構を備えるものが知られている。当該ロック機構は、操作装置に操作が加えられると、内部のギアが噛合することによって弁体の上昇状態を保持し、再度操作装置に操作が加えられると、ギアの噛合が解除されるとともにリターンスプリングによって弁体を引き込み、下降させる構造となっている。このようなロック機構を備えた排水栓装置は上記特許文献１に記載された排水栓装置のように、水圧等に伴い排水口が閉口してしまうという問題は生じない。
しかし、上記ロック機構は内部に排水が混入した際に表面張力によってギアが正常に作動しない等、ロック機構に起因する誤作動を引き起こす恐れを有しているとともに、その構造が複雑であるために破損しやすく、又、高価であるという問題を有していた。又、ロック機構はリターンスプリングの張力によって弁体を引き下げ、パッキンを排水口周縁に当接させるように応力を加えているが、当該張力による応力では止水不良が生じていた。
【０００６】
本発明は上記問題に鑑み、排水栓装置について、弁体の昇降状態の確実な保持、装置の誤作動防止、安価化、止水性の向上等を課題とする。
【課題を解決するための手段】
【０００７】
上記課題を解決するための請求項１に記載の本発明は、遠隔操作によって排水口を開閉する弁体と、
弁体の昇降操作を行う操作部を備える操作装置と、
操作部の変位を弁体へと伝達する伝達部から成る排水栓装置であって、
上記操作部は、
所定方向への変位によって弁体の昇降操作が可能となる第一の状態と、
排水口の開口又は閉口を維持する第二の状態を有することを特徴とする排水栓装置である。
【０００８】
請求項２に記載の本発明は、上記操作部装置は、
操作部が第二の状態にある時、第一の状態における所定方向への変位が規制されることを特徴とする請求項１に記載の排水栓装置である。
【０００９】
請求項３に記載の本発明は、上記操作装置は、
操作部が第二の状態にある時、解除操作を行うことによって第二の状態を解除し、
第一の状態に復帰することを特徴とする請求項１又は請求項２に記載の排水栓装置である。
【００１０】
請求項４に記載の本発明は、上記操作部は、
排水口の開口又は閉口時に弾発材によって第二の状態へと移行するように付勢されていることを特徴とする請求項１乃至請求項３のいずれか１つに記載の排水栓装置である。
【００１１】
請求項５に記載の本発明は、上記操作部は、
第一の状態において、操作装置が取り付けられた取付面に沿って変位するとともに、
上記変位と異なる方向に変位することによって第二の状態へと移行することを特徴とする請求項１乃至請求項４のいずれか１つに記載の排水栓装置である。
【００１２】
請求項６に記載の本発明は、上記操作装置は、
操作部を保持する本体部を備え、
本体部は操作部の変位方向を誘導するガイド部を有することを特徴とする請求項１乃至請求項５のいずれか１つに記載の排水栓装置である。
【発明の効果】
【００１３】
請求項１又は請求項２に記載の本発明によれば、第二の状態によって排水口の開口又は閉口状態が維持されることから、水圧や踏み込み等によって排水口が閉口してしまうといったことを防ぐことができる。又、ロック機構を用いることなく排水口の開口又は閉口を維持することが可能になることから、装置の構造を簡素化することが可能となるため、装置を安価化させることが可能となる。
請求項３に記載の本発明によれば、解除操作を行うことによって容易に第一の状態に復帰することが可能となるとともに、復帰には解除操作を必要とすることから、予期せず第二の状態から第一の状態に復帰することを防ぐことが可能となる。
請求項４に記載の本発明によれば、弾発材によって第二の状態へと移行することから、確実に排水口の開口又は閉口を確実に維持することが可能となる。
請求項５に記載の本発明によれば、操作部の変位方向を明確にすることができる。
請求項６に記載の本発明によれば、ガイド部によって変位方向を誘導することによって、操作を安定させることができる。
【図面の簡単な説明】
【００１４】
【図１】本発明の排水栓装置が取り付けられた槽体を示す（ａ）平面図（ｂ）正面図である。
【図２】排水栓装置の施工状態を示す断面図である。
【図３】操作装置を示す斜視図である。
【図４】排水栓装置の平面断面図である。
【図５】操作装置の構成を示す分解斜視図である。
【図６】台座部材を示す（ａ）平面図（ｂ）正面図である。
【図７】操作部の構成を示す分解斜視図である。
【図８】押動部の背面を示す斜視図である。
【図９】排水口の閉口時における（ａ）操作部の正面図（ｂ）弁体周辺の断面図である。
【図１０】図９の状態における（ａ）操作部の斜視図（ｂ）ガイド部と被ガイド部の位置関係を示す参考図である。
【図１１】図１０より操作部を水平方向に変位させた状態を示す（ａ）操作部の正面図（ｂ）弁体周辺の断面図である。
【図１２】図１１の状態における（ａ）操作部の斜視図（ｂ）ガイド部と被ガイド部の位置関係を示す参考図である。
【図１３】排水口の開口時における（ａ）操作部の正面図（ｂ）弁体周辺の断面図である。
【図１４】図１３の状態における（ａ）操作部の斜視図（ｂ）ガイド部と被ガイド部の位置関係を示す参考図である。
【図１５】台座部材に「開」「閉」の表示を行った実施形態を示す操作部の正面図である。
【図１６】操作部に「開」「閉」の表示を行った実施形態を示す操作部の正面図である。
【発明を実施するための形態】
【００１５】
以下、図面を参照しながら本発明の排水栓装置を説明する。尚、以下に記載する発明は実施形態の理解を容易にするためのものであり、これによって発明が制限して理解されるものではない。又、図１乃至図４に示すように、本実施形態に係る排水栓装置１は、槽体Ｂに取り付けられ、当該槽体Ｂ底面に形成された排水口３を開閉する。又、本実施形態における排水栓装置１は、弁体６、操作装置１０、伝達部３２から構成されており、操作装置１０による遠隔操作を伝達部３２を介して弁体６に伝達し、弁体６の昇降によって排水口３を開閉する構造である。
【００１６】
槽体Ｂは浴室内に配置された浴槽であり、底面及び外側面に開口が形成されている。又、底面の開口には排水栓２が取り付けられており、外側面の開口には操作装置１０が槽体Ｂに隣接する洗い場側を向くように取り付けられている。
排水栓２は内部に排水口３を形成する中空の筒状体であって、上端に外向きの鍔部を有するとともに、内部にワイヤ固定部４が取り付けられている。又、排水栓２は槽体Ｂ下方に配置された排水器５と螺合されている。ワイヤ固定部４は外径が排水栓２の内径と略同一となるよう形成された環状部と、ワイヤ固定部４の中心において伝達部３２端部を支持する支持部を有している。
【００１７】
弁体６は平面視円形の、周囲にゴム等の弾性素材から成るパッキンが嵌着された止水部材であって、下面には伝達部３２端部に形成された弁軸３５の先端が嵌合されている。尚、弁体６が下降状態にある時、嵌着されたパッキンは排水口３の周縁に当接することで排水口３を閉口させるとともに、弁体６が上昇状態にある時、上記パッキンは排水口３の周縁より離間し、排水口３を開口させる。
【００１８】
図２乃至図５に示すように、操作装置１０は本体部１１、操作部２０、ワイヤ受け３１から構成され、本体部１１によって保持された操作部２０の変位を伝達部３２を介して弁体６に伝達することで、排水口３の開閉を遠隔操作する。又、操作装置１０は、操作部２０の位置に応じて第一の状態と、第二の状態を有している。ここで、図３においては、発明の理解を容易にするため、矢印を用いて操作部２０の変位方向を示している。尚、矢印ａは第一の状態における操作部２０の変位方向であり、矢印ｂは第二の状態における操作部２０の変位方向である。
第一の状態は操作部２０が取付面である槽体Ｂ側面に沿って水平方向左右に対する変位が許容され、当該水平方向左右に対する変位によって弁体６の昇降操作が可能となる状態である。
第二の状態は操作部２０の変位可能領域の内、左右端に位置する際の状態であり、上記第一の状態における左右方向への変位が規制されるとともに、取付面である槽体Ｂの外側面に対して近接又は離間するように前後方向への変位が許容され、弁体６の昇降状態を保持し、排水口３の開口又は閉口を維持する状態である。
【００１９】
本体部１１はフランジ部材１２、台座部材１３から成る。
フランジ部材１２は上端に外向きの鍔部を有する筒状体であって、槽体Ｂの裏側に配置された受け部材１７と螺合されており、当該受け部材１７は中空のガイドチューブ１８を介して上記排水器５と接続されている。
台座部材１３はフランジ部材１２と槽体Ｂの外側面とに挟持された、槽体Ｂの外側面に沿う矩形の板状体であって、図５及び図６に示すように、その上辺及び下辺が槽体Ｂと離間する方向に向けて９０°屈曲しているとともに、当該屈曲部分において操作部２０の変位方向を誘導するガイド部１４が形成されている。ガイド部１４は平面視略コ字状態に形成された溝であって、操作部２０の被ガイド部２２が内部を変位可能となるように配置されている。尚、図６（ａ）に示すように、ガイド部１４は長手方向に向けて延設された、操作部２０が左右方向にのみ変位可能となる第一の位置１５と、当該第一の位置１５の両端において槽体Ｂから離間する方向に向けて形成された、操作部２０が前後方向にのみ変位可能となる第二の位置１６を有している。
【００２０】
図７乃至図９に示すように、操作部２０は押動部２１と基部２５から成る直方体状であって、その高さ幅は上記台座部材１３と略同一であるが、左右の幅は台座部材１３よりもやや短い。又、操作部２０は内部に弾発材３０としてスプリングを有している。
押動部２１は操作部２０の表側に配置され、台座部材１３側に向けて開口された箱状であって、上辺及び下辺の内側面から内側に向けて被ガイド部２２が突設されている。又、右辺及び左辺において係合部２３が形成されている。
基部２５は操作部２０の台座部材１３側に配置され、押動部２１に向けて開口された箱状であって、右辺及び左辺において、係合部２３と係合する被係合部２６が形成されている。又、基部２５は伝達部３２が挿通されるための切り欠き２７が第一の状態における操作部２０の変位方向に向けて形成されている。
ここで、上記押動部２１と基部２５は係合部２３と被係合部２６が係合しており、分離することはないが、当該係合箇所にはクリアランスが設けられており、押動部２１と基部２５は互いに近接又は離間することが可能となっている。又、押動部２１と基部２５は弾発材３０によって互いに離間する方向に向けて付勢されている。
【００２１】
ワイヤ受け３１はフランジ部材１２の内部に取り付けられ、伝達部３２の端部を操作装置１０に固定している。尚、ワイヤ受け３１はフランジ部材１２に対して相対回転であり、伝達部３２端部を固定する部分が台座部材１３に対して嵌合することで位置決めがなされている。又、図４に示すように、ワイヤ受け３１は第一の状態における操作部２０の変位方向に対して斜めに伝達部３２を固定しており、伝達部３２の屈曲方向を誘導する。
【００２２】
伝達部３２はインナーワイヤ３３、アウターチューブ３４から成るレリースワイヤであって、一端が操作装置１０に、他端が弁体６に接続されている。
上記操作装置１０側の伝達部３２は、アウターチューブ３４がワイヤ受け３１に取り付けられているとともに、インナーワイヤ３３は操作部２０に接続されている。従って、操作部２０が使用者の操作に伴い変位すると、操作部２０の変位に連動し、インナーワイヤ３３がアウターチューブ３４内を摺動し、操作部２０の変位を弁体６へと伝達する。
一方、伝達部３２は弁体６側の端部において弁軸３５を有している。弁軸３５は内筒と外筒から構成されており、外筒はアウターチューブ３４が接続されているとともに、ワイヤ固定部４に固定されている。内筒はインナーワイヤ３３が接続されているとともに、外筒に対して軸方向に変位可能となっている。従って、伝達部３２はインナーワイヤ３３がアウターチューブ３４内を弁体６側へと摺動した際、内筒を外筒から突出させる。この時、弁軸３５と嵌合している弁体６は内筒によって突き上げられて上昇し、排水口３を開口させる。対して、インナーワイヤ３３がアウターチューブ３４内を操作装置１０側へと摺動した際、内筒が外筒内に収納されることで、弁体６は下降し、排水口３を閉口させる。
【００２３】
上記排水栓装置１は、以下のように組み立てられる。
【００２４】
まず、排水器５と受け部材１７をガイドチューブ１８で繋ぎ、槽体Ｂの底面に形成された開口に挿通した排水栓２と排水器５を螺合させる。
次に、フランジ部材１２の鍔部の背面に台座部材１３が配置された状態で、槽体Ｂ外側面に形成された開口にフランジ部材１２を挿通し、受け部材１７と螺合させる。この時、台座部材１３はフランジ部材１２に対して回動可能となっており、その方向を自由に変更できる。従って、作業者は台座部材１３を把持し、ガイド部１４が上下に配置されるようにした状態でフランジ部材１２と受け部材１７との螺合を進めることによって、台座部材１３は適切な向きにおいてフランジ部材１２と槽体Ｂ外側面によって挟持固定される。
次に、伝達部３２をフランジ部材１２に挿入し、弁体６側より弁軸３５を引き上げてワイヤ固定部４に取り付けた後、ワイヤ固定部４を排水栓２内に取り付ける。又、弁軸３５の上端に弁体６を嵌合させる。
次に、伝達部３２の他端をワイヤ受け３１に取り付けた後、ワイヤ受け３１をフランジ部材１２に取り付ける。この時、ワイヤ受け３１はフランジ部材１２に対して相対回転自在であるが、ワイヤ受け３１と台座部材１３を嵌合させることによってワイヤ受け３１の向きを固定することができる。
次に、操作部２０を台座部材１３に取り付ける。この時、押動部２１の被ガイド部２２がガイド部１４内に配置され、操作部２０は被ガイド部２２がガイド部１４のどこに位置するかによってその変位方向が規制される。又、伝達部３２は基部２５の切り欠き２７を通じて操作部２０内部に配置されるとともに、端部が押動部２１と係合する。
【００２５】
上記のように操作装置１０の組み立てが完了した状態において、操作部２０の基部２５は台座部材１３に当接しているため、押動部２１は弾発材３０によって、常に槽体Ｂから離間する方向に付勢されている。従って、押動部２１が基部２５に対して接離し、槽体Ｂの外側面に対して前後方向に変位可能となっている。
【００２６】
上記本発明の排水栓装置１は以下のように動作する。
【００２７】
まず、図９に示すように、弁体６が下降している状態について説明する。弁体６が下降している状態において、弁体６の周囲に嵌着されたパッキンは排水栓２の上面と水密に当接しており、槽体Ｂ内に湯水を貯留することが可能となっている。又、図１０（ａ）に示すように、弁体６が下降している状態において、操作部２０は操作装置１０の左端に位置し、図１０（ｂ）に示すように、被ガイド部２２はガイド部１４内の第二の位置１６に配置されている。この時、第二の位置１６は槽体Ｂから離間する方向に延設されているとともに、操作部２０は弾発材３０によって当該第二の位置１６端部、即ち槽体Ｂと離間する方向に押圧された状態で配置されている。これにより、排水口３が閉口状態にある時の操作部２０は水平方向左右に変位することが不可能であり、排水口３の閉口を維持する第二の状態となっている。
上記排水口３の閉口状態において、使用者が操作部２０を弾発材３０の付勢に逆らって槽体Ｂ側へ（図１０（ａ）矢印ｂ方向）向けて押し込むと、図１０（ｂ）において二点鎖線で示すように、被ガイド部２２がガイド部１４の第一の位置１５の端部にあるＰ１に配置され、操作部２０の第二の状態が解除される。この時、操作部２０は水平方向左右に変位することが可能となっており、弁体６の昇降操作が可能な第一の状態となる。即ち、本実施形態においては、操作部２０を押し込むことが第二の状態の解除操作となる。
上記第一の状態にある操作部２０について、操作部２０は被ガイド部２２がガイド部１４の第一の位置１５に位置することから水平方向左右にのみ変位可能となっている。そして、図１１及び図１２に示すように、当該操作部２０を水平方向右側（図１２矢印ａ方向）に向けて変位させると、当該変位に伴って伝達部３２のインナーワイヤ３３がアウターチューブ３４内を弁体６側へと摺動する。弁軸３５は当該インナーワイヤ３３の摺動に伴い内筒が外筒から突出し、弁体６を突き上げることで上昇させ、図１３に示すように、排水口３を開口させる。ここで、排水口３が開口し、被ガイド部２２がガイド部１４の端部である点Ｐ２にある状態において使用者が操作部２０から手を離すと、図１４（ｂ）に示すように、弾発材３０の付勢によって、自動的に操作部２０が第二の位置１６へと移行する。この時、操作部２０は解除操作を行わない限りにおいて、操作部２０は排水口３を閉口させるために水平方向左右に変位することが不可能であり、排水口３の開口を維持する第二の状態となっている。
そして、操作部２０に対して解除操作である押し込み操作を行うと、被ガイド部２２は点Ｐ２へと移行するとともに、操作部２０が第二の状態より第一の状態へと復帰する。
上記被ガイド部２２が点Ｐ２にある状態から、操作部２０を左側に向けて変位させると、当該変位に伴ってインナーワイヤ３３がアウターチューブ３４内を操作装置１０側へと摺動する。当該インナーワイヤ３３の摺動に伴い、弁体６は弁軸３５の内筒の変位に伴い下降し、パッキンが排水口３周縁に当接することで当該排水口３を閉塞する。この時、弁体６は手動操作によって引き下げられることから、パッキンが強く排水口３周縁に当接し、確実に止水を行うことができる。
又、被ガイド部２２はガイド部１４の他端である点Ｐ１へと移行しており、使用者が操作を終了し、操作部２０から手を離すと、弾発材３０の付勢によって自動的に操作部２０が第二の位置１６へと移行するとともに、操作部２０が第二の状態となる。
【００２８】
上記排水栓装置１について、排水口３が開口状態にある時、弁体６が水圧や踏み込み等による下方へと応力が加わると、インナーワイヤ３３が操作装置１０に向けて摺動するよう働く。しかし、この時操作部２０は第二の状態にあり、水平方向左右への変位が規制されていることから、操作部２０は変位しない。
これにより、弁体６の上昇状態は保持され、排水口３が閉口することを防ぐことができる。同様に、排水口３が閉口状態にある時、弁体６が引き上げられる等して弁体６に対して上方へと応力が加わったとしても、操作部２０が第二の状態にあることから、弁体６の下降状態が保持され、排水口３が開口することを防ぐことができる。
即ち、排水口３が開口又は閉口状態にある時に弁体６に対して応力が加わると、操作部２０は図３や図１２に記載された矢印ａの方向へと変位するように応力が加わるが、図１０（ｂ）や図１４（ｂ）に示すように、第二の状態にある操作部２０は被ガイド部２２がガイド部１４の第二の位置１６に配置されており、当該応力によって変位することが不可能となっている。これにより、本発明の排水栓装置１排水口３の開口又は閉口を維持することができる。
【００２９】
尚、上記した操作部２０の操作においては、ガイド部１４の端部（点Ｐ１、点Ｐ２）に被ガイド部２２が達した後に、操作部２０への押圧を解除することで、第一の状態から第二の状態に移行させているが、被ガイド部２２が第一の位置にある状態において押圧を解除し、その上で、ガイド部１４の端部まで被ガイド部２２を移行させても良い。この場合、第一の状態から第二の状態への移行は、弾発材３０による移行時の音や操作部２０の位置を目視すること把握することができる。
【００３０】
本発明における排水栓装置１は、手動操作にて弁体６を引き下げることから、確実に止水を行うことが可能となる。そして、当該確実に止水が行われた状態において操作部２０が第二の状態に移行することから、確実な止水状態を維持することが可能となる。
又、操作部２０が所定方向への変位によって弁体６の昇降操作が可能となる第一の状態と、排水口３の開口又は閉口を維持する第二の状態を有しているため、水圧や踏み込み等によって上昇状態にある弁体６が下降してしまうことがない。又、同様に、下降状態にある弁体６が引き上げ等によって上昇してしまうこともない。即ち、上記第一実施形態において操作部２０は第一の状態にある時は取付面である槽体Ｂの外側面に沿って並行に変位するが、第二の状態に移行する際には取付面に対して垂直に変位する。従って、本発明における排水栓装置１は第一の状態から第二の状態に移行する際、操作部２０が第一の状態とは異なる方向に変位することから、操作部２０が第二の状態にある時に弁体６対して何らかの応力が加わったとしても、操作部２０は水平方向に動作することはない。これによって、本発明は確実に排水口の開口又は閉口状態を維持することができる。
又、本発明の排水栓装置１は、ギア等を備えた複雑な機構であるスラストロック機構を備えることなく弁体６の昇降状態及び排水口３の開口又は閉口状態を維持することが可能となる。従って、当該スラストロック機構に基づく誤作動や破損を防ぐことができる。又、装置の構造を簡略化することにより、安価な排水栓装置を提供することが可能となる。
又、操作部２０は排水口３の操作を行う際、開口時及び閉口時共に水平方向に動作することから、排水口３の開口時と閉口時の操作感を等しくすることが可能となる。
又、本発明の排水栓装置１は操作部２０の位置によって、排水口３の開閉状態を把握することが可能であることから、使用者は弁体６の昇降状態を目視することなく、排水口３の状態を確認することができる。
【００３１】
第一実施形態に係る排水栓装置は以上であるが、本発明は上記第一実施形態の形状に限られるものではなく、発明の要旨を逸脱しない範囲において種々の形状変更を行っても良いものである。例えば、排水栓装置は浴槽以外にも、洗面ボウル等に使用されても良い。
又、上記第一実施形態において、操作部２０はスプリングから成る弾発材３０によって第一の状態から第二の状態へと移行するが、当該弾発材はゴム等の弾性部材であっても良く、樹脂弾性を利用しても良い。
又、弾発材や樹脂弾性を利用せず、第一の状態とは異なる操作を行うことによって第二の状態へと移行させても良い。例えば、排水口３の開閉操作を行う際には水平方向に操作部２０を変位させ、操作終了後に操作部２０を槽体Ｂから離間する方向に引くことによって第二の状態へと移行させても良い。
【００３２】
又、第一実施形態において、操作装置１０は槽体Ｂの外側面に設けられていたが、槽体Ｂの内側面や天面に配置されていても良い。
又、排水口３の開閉操作を行う際、操作部２０の変位方向は水平方向に限られるものではなく、垂直方向に変位しても良く、又、回転方向に変位しても良い。例えば、上記第一実施形態において、操作装置１０は操作部２０が第一の状態にある時には左右方向にのみ変位可能であったが、第一の状態にある時に天地方向に変位可能としても良い。
又、第一の状態から第二の状態へと移行する際の操作部２０の変位方向についても何ら限定されるものではない。例えば、操作部２０が第一の状態にある時には水平歩行に変位し、第一の状態から第二の状態へ移行する際には天地方向に変位する等しても良い。
【００３３】
又、排水口３の開閉状態を示すため、「開」や「閉」の文字等、何らかの表示を行うようにしても良い。
例えば、図１５に示したように、台座部材１３に対して、排水口３の開閉状態を示す「開」「閉」や文字を刻設し、操作部２０にて該当しない状態の表示を隠すようにしても良い。図１５の実施形態では、図９乃至図１３の実施形態同様に、操作部２０を左端に移動させると排水口３は閉口する。この時、表示は図１５（ａ）のように「閉」が表示される。この時、台座部材１３に刻設された「開」の文字は操作部２０に覆い隠されている。
一方、操作部２０を右端に移動させると排水口３は開口する。この時、表示は図１５（ｂ）のように「閉」が操作部２０に覆い隠され、「開」が表示される。
再び操作部２０を左端に移動させると排水口は閉口する。この時、「開」が操作部２０に覆い隠され、表示は図１５（ａ）の「開」が表示された状態に戻る。
つまり、排水口３が開口されている場合は「開」の文字が外部に露出するとともに「閉」の文字は操作部２０によって覆い隠され、逆に、排水口３が閉口されている場合には「開」の文字は操作部２０によって覆い隠されるとともに、「閉」の文字が外部に露出する。このように構成することによって、使用者は弁体６を直接目視することなく、排水口３の開閉状態を把握することができる。
他の表示方法として、図１６に示した実施形態のように、単純に操作部１６に「開」「閉」を表示するようにしても良い。この場合、図１６（ａ）のように、操作部２０を操作部２０上の「閉」と示された左側の端部まで移動させると排水口３は閉口する。逆に、図１６（ｂ）のように、操作部２０を操作部２０上の「開」と示された右側の端部まで移動させると排水口３は開口する。
【符号の説明】
【００３４】
Ｂ          槽体
１          排水栓装置
２          排水栓
３          排水口
４          ワイヤ固定部
５          排水器
６          弁体
１０        操作装置
１１        本体部
１２      フランジ部材
１３      台座部材
１４      ガイド部
１５      第一の位置
１６      第二の位置
１７      受け部材
１８      ガイドチューブ
２０      操作部
２１      押動部
２２      被ガイド部
２３      係合部
２５      基部
２６      被係合部
２７      切り欠き
３０      弾発材
３１      ワイヤ受け
３２      伝達部
３３      インナーワイヤ
３４      アウターチューブ
３５      弁軸
【図１】
2020033752.tif 000003
【図２】
2020033752.tif 000004
【図３】
2020033752.tif 000005
【図４】
2020033752.tif 000006
【図５】
2020033752.tif 000007
【図６】
2020033752.tif 000008
【図７】
2020033752.tif 000009
【図８】
2020033752.tif 000010
【図９】
2020033752.tif 000011
【図１０】
2020033752.tif 000012
【図１１】
2020033752.tif 000013
【図１２】
2020033752.tif 000014
【図１３】
2020033752.tif 000015
【図１４】
2020033752.tif 000016
【図１５】
2020033752.tif 000017
【図１６】
2020033752.tif 000018